(57)【要約】    【課題】  燃焼性能及び騒音性能を確保した上で、排気トップ寸法のコンパクト化が可能で、安価で耐雨性能を有する排気トップとした壁貫通設置型燃焼機を提供する。    【解決手段】  熱交換器３と、この上部の排気室４を覆う外装５の上部の角部に設けた段部５ａに、排気室４の排気出口４ａを臨ませ、外装５の段部５ａを覆って排気室４の排気出口４ａと対向する側面７ｃに排気口８を設けた排気トップ７が装着され、排気トップ７には排気室４の排気出口４ａに連通する排気ガイド１２が設けられており、排気ガイド１２の下面側の下ガイド１１を、排気口８を設けた側面７ｃとの間に間隔Ｇを有するように設けてなる壁貫通設置型燃焼機１。    【選択図】  図１
2006078112.tif 000002
【特許請求の範囲】
【請求項１】
給排気口を室外に位置し配管類の接続部が室内の壁面側に位置して外壁の貫通孔に設置される壁貫通設置型燃焼において、熱交換器とこの上部の排気室を覆う外装の上部の角部に設けた段部に上記排気室の排気出口を臨ませ、外装の上記段部を覆って上記排気室の排気出口と対向する側面に排気口を設けた排気トップを装着し、この排気トップに前記排気室の排気出口に連通する排気ガイドが設けられ、排気ガイドの下面側の下ガイドを、前記排気口を設けた側面との間に間隔を有するように設けてなる壁貫通設置型燃焼機。
【請求項２】
排気トップの排気口を設けた側面が、外装の背面よりも後方側に位置し、排気口を設けた側面の下端に設けられ前記外装の背面の方向に向う折り返し部に、水抜き口を設けてなる請求項１記載の壁貫通設置型燃焼機。
【発明の詳細な説明】
【技術分野】
【０００１】
本発明は、給排気口を室外に位置させ、浴室や台所などの外壁に設けた貫通孔内に設置して、給湯付き風呂釜や給湯機として使用する壁貫通設置型燃焼機に係り、より詳しくは壁貫通設置型燃焼機の室外に位置する排気トップに関する。
【背景技術】
【０００２】
図２に示すように燃焼部２（バーナーユニット）の上方に熱交換器３（熱交換ユニット）を設置し、その上に排気室４と排気トップ２０から構成される排気ユニットを設置し、これらを外装５で覆った構造で、浴室や台所などの壁の中に燃焼機本体部分を貫通させて設置し、給排気口部分が屋外に突出するように設置する構造の壁貫通設置型燃焼機が知られており、この壁貫通設置型燃焼機の各機器の機能は、燃焼部２で燃焼ガスを生成した後、熱交換器３で燃焼ガスの熱エネルギーを放出し燃焼排気が生成され、燃焼排気は、排気室４内を経由し、排気トップ２０を順次通過して屋外に放出される。（特許文献１参照）。
【０００３】
上記壁貫通設置型燃焼機の排気ガス出口としての排気トップは、図３（ａ）及び（ｂ）に示すように、外装５の排気室４の排気出口４ａに接する部分の角部に設けた段部５ａに、外装５の外側から後付けの排気トップ２１が外装５の背面側に取付けられ、排気トップ２１から背面側に突出して排気口８を備える構造で、排気室４の排気出口４ａから出た排気ガスが、排気トップ２１内部に屈曲して形成したクランク形状の排気通路２１ａを通って排気口８から排出されるように、排気トップ２１の排気口８は、排気室４の排気出口４ａから一段下側の位置となるように高さ方向で段差を有しており、また、排気口８はルーバー２２により２段に分割した構造とし、前記の段差とルーバー２２との組合わせにより、排気トップ２１の排気口８から入る雨水や跳ね返り水を排気室４や熱交換器３部分に進入させない耐雨性能を有する構造が採られている。
【０００４】
また、別の構造として図４（ａ）及び（ｂ）に示すように、排気室４の排気出口４ａに接続した排気トップ２３の排気口８部分が、外装５の屋外側の上部から突出し、排気トップ２３の排気口８をルーバー２４により上下２段に分割し、上下２段に分割した排気口８の下段側の排気通路内に、排気方向と直交するように燃焼排気を通過可能にした金網２５を具備して、排気口８から入る雨水が金網２５に当って、排気室４や熱交換器３部分に雨水を進入させない耐雨性能を有する構造のものも知られている。（特許文献２参照）。
【特許文献１】特開２００３−２６９８０２号公報
【特許文献２】実開平６−６９６５６号公報
【発明の開示】
【発明が解決しようとする課題】
【０００５】
上記で述べたもののうち図３（ａ）及び（ｂ）に示した排気トップ２１は、排気トップ２１内部に屈曲したクランク形状の排気通路２１ａを有する形状であり、燃焼性能に影響する排気ガス排出のための排気通路２１ａを確保するため、排気室４の排気出口４ａから排気トップ２１の排気口８までの横方向寸法を多く必要として、図３（ｂ）に示すように外装５背面側からの突出部分Ｗ２（約３０ｍｍ程度）を必要とするとともに、排気ガスを水平以上の噴出しとすることからクチバシ状の水平突出部Ｗ１（約１０ｍｍ程度）も必要で、その結果、外装５の背面側からＷ３（約４０ｍｍ）の寸法分が突出することになり、さらに、高さ方向でも排気通路２１ａの段差確保のために多くの寸法が必要で排気トップ２１が大型化し、壁貫通設置型燃焼機全体としての奥行き方向寸法も大きくなる問題があり、また、騒音低減のために排気通路２１ａ内の曲がり角には風切り音を防ぐためのアール（Ｒ）を設けなくてはならず、排気トップ２１の内部構造が複雑となってコスト高な部品となる問題を有していた。
【０００６】
次に、図４（ａ）及び（ｂ）に示した排気トップ２３の場合、排気通路は短く且つストレートであるため、排気トップ２３の製品寸法はコンパクトに製造可能ではあるが、排気通路に金網２５を設けるため、燃焼性能と騒音が悪化する問題を有していた。
【０００７】
本発明は、燃焼性能及び騒音性能を確保した上で、排気トップ寸法のコンパクト化が可能で、安価で耐雨性能を有する排気トップとした壁貫通設置型燃焼機を提供するものである。
【課題を解決するための手段】
【０００８】
本発明は、次のものに関する。
（１）給排気口を室外に位置し配管類の接続部が室内の壁面側に位置して外壁の貫通孔に設置される壁貫通設置型燃焼において、熱交換器とこの上部の排気室を覆う外装の上部の角部に設けた段部に上記排気室の排気出口を臨ませ、外装の上記段部を覆って上記排気室の排気出口と対向する側面に排気口を設けた排気トップを装着し、この排気トップに前記排気室の排気出口に連通する排気ガイドが設けられ、排気ガイドの下面側の下ガイドを、前記排気口を設けた側面との間に間隔を有するように設けてなる壁貫通設置型燃焼機。
（２）排気トップの排気口を設けた側面が、外装の背面よりも後方側に位置し、排気口を設けた側面の下端に設けられ前記外装の背面の方向に向う折り返し部に、水抜き口を設けてなる上記（１）記載の壁貫通設置型燃焼機。
（作用）
【０００９】
排気室の排気出口に対向する排気トップの側面に、燃焼機外への排気口が設けられ、排気ガスは水平以上の噴出しとなる。また、排気ガスは排気室の排気出口から排気トップ側面の排気口へと水平状に排気するため、従来のように排気通路をクランク形状に屈曲させる必要がなく、排気トップの外装背面側からの突出寸法を短くすることができて排気トップのコンパクト化が可能となる。
【００１０】
排気トップには、排気室の排気出口に連通する筒状の排気ガイドが設けられ、この排気ガイドにおける下面側の下ガイドは、排気口を設けた排気トップの側面内側との間に間隔を有するように設けられており、排気トップの排気口から入った雨水は間隔を通って下方に抜けるため、雨水の下ガイドに当っての跳ね返りが防止され、排気室や熱交換器部分への雨の浸入を阻止する。
【発明の効果】
【００１１】
本発明の壁貫通設置型燃焼機によれば、排気トップの構造の簡略化によりコンパクト化が図れるとともに、排気室の排気出口に連通する排気ガイドの下面側の下ガイドを、排気口を設けた側面との間に間隔を有するように設けており、排気口から入った雨水の跳ね返りがなくなることにより、排気室内や熱交換器部分への雨水の浸入を阻止できて耐雨性能が得られる。
【発明を実施するための最良の形態】
【００１２】
排気トップ及び排気室の排気出口に連通する排気ガイドはステンレス鋼鈑などで形成され、排気トップは外装角部の段部にねじ等を用いて取付けられる。
【００１３】
排気トップを外装角部の段部に取付けた状態において、外装背面側からの排気トップの排気口を設けた側面までの突出寸法としては、３〜１５ｍｍ、より好ましくは１０ｍｍ程度とされる。
【００１４】
排気トップの排気口が設けられる側面と下ガイドとの間の間隔としては、排気トップの側面の外装の背面側からの突出寸法を１０ｍｍ程度とした場合、１０〜２０ｍｍ程度とするのが好ましい。
【実施例】
【００１５】
以下、図１を参照しながら本発明による壁貫通設置型燃焼機の実施例を具体的に説明する。
図１（ａ）は本発明による壁貫通設置型燃焼機の外装背面側からの斜視図、図１（ｂ）は図１（ａ）中のＡ−Ａ要部縦断面図である。
【００１６】
図１（ａ）及び（ｂ）において、壁貫通設置型燃焼機１は、図２の壁貫通設置型燃焼機の概略構成説明図で説明したように、燃焼部２（バーナーユニット）の上方に熱交換器３（熱交換ユニット）を設置し、その上に排気出口４ａ（図１（ａ）参照）を備える排気室４が設けられ、これらを覆って外装５が設けられる。また、図１（ａ）に示すように、壁貫通設置型燃焼機１が設置される浴室や台所等の室内側に位置される外装５の正面側の端部には、配管類の接続部を備える前カバー６が設けられ、外装５の屋外側に位置する背面側の下部には給気口５ｂが設けられる。
【００１７】
図１（ａ）及び（ｂ）において、排気室４の排気出口４ａを臨ませた外装５の屋外側に位置する背面側の角部に設けた段部５ａには、この段部５ａを覆って金属板（ステンレス鋼板）で形成した排気トップ７が外側から取付けられる。排気トップ７は、上面７ａ、両側面７ｂ、下面（図１（ｂ）中に示す折り返し部７ｄ部分）が閉塞され、前記排気室４の排気出口４ａと対向する背面側の側面７ｃの一部には、図１（ａ）の斜視図に示すように排気室４の排気出口４ａから出た排気ガスを屋外に排出するための長方形の開口形状とした排気口８を備えており、排気口８は適度な開口を持っている。図１（ｂ）に示すように排気口８の開口部端部には、排気トップ７に外部から指で触れた場合の安全性を配慮して長方形の開口部全周にバーリング９を有する形状とし、バーリング９の高さ寸法は、後述する間隔Ｇをあまり狭めない程度の２〜３ｍｍ程度とする。なお、バーリングの断面形状は実施例のＬ形に限らず、カール状、Ｖ形、又はハゼ折り（折返し）としてもよい。
【００１８】
次に、排気トップ７の内部構造について図１（ａ）を用いて説明すると、排気室４の排気出口４ａと排気トップ７の背面側の側面７ｃに設けた排気口８とを連通させる上ガイド１０及び下ガイド１１を備える筒状の排気ガイド１２が設けられる。なお、上記排気室４の排気出口４ａと排気トップ７の排気口８との高さの位置関係はストレートで、高さ方向の位置関係は同一である。
【００１９】
上記排気ガイド１２の下ガイド１１は、排気口８を設けた側面７ｃ内面側との間に間隔Ｇを有するように水平方向の長さが短く形成されており、実施例では、上下２段とした排気口８の一つの排気口８の開口部高さ寸法１５ｍｍ程度とし、上記の間隔Ｇは約２０ｍｍ程度として、この間隔Ｇにより、排気口８より入る雨水の下ガイド１１に当ることによる跳ね返りを防止するようにした。
また、排気ガイド１２は、排気室４の排気出口４ａより水平に排気トップ７の排気口８に向かい、排気抵抗を減らす形状となっている。
【００２０】
次に、排気トップ７の排気口８を有する背面側の側面７ｃの位置は、外装５の背面より図１（ｂ）のＷ寸法を１０ｍｍ程度として後方側に位置し、側面７ｃの下端に、外装５の背面の方向に向う折り返し部７ｄを設けた形状とし、この折り返し部７ｄは前記排気ガイド１２の下ガイド１１よりも下方に位置するようにして、折り返し部７ｄには、前記の間隔Ｇを通った雨水を機器の外部に排出するように、適宜数の水抜き口７ｅを設けている。
【図面の簡単な説明】
【００２１】
【図１】（ａ）は本発明による壁貫通設置型燃焼機の斜視図、（ｂ）は（ａ）中のＡ−Ａ要部縦断面図である。
【図２】壁貫通設置型燃焼機の概略構成説明図である。
【図３】（ａ）は従来例による壁貫通設置型燃焼機の斜視図、（ｂ）は（ａ）の壁貫通設置型燃焼機における排気トップ部分の要部縦断面図である。
【図４】（ａ）は別の従来例による壁貫通設置型燃焼機の斜視図、（ｂ）は（ａ）の壁貫通設置型燃焼機における排気トップ部分の要部縦断面図である。
【符号の説明】
【００２２】
１  壁貫通設置型燃焼機                ２  燃焼部（バーナーユニット）
３  熱交換器（熱交換ユニット）        ４  排気室（排気ユニット）
４ａ  排気出口（燃焼排気出口）          ５  外装
５ａ  段部                            ５ｂ  給気口
５ｃ  外装の背面                        ６  前カバー
７  排気トップ                      ７ａ  上面
７ｂ  側面                            ７ｃ  背面側の側面
７ｄ  折り返し部                      ７ｅ  水抜き口
８  排気口                            ９  バーリング
１０  上ガイド                        １１  下ガイド
１２  排気ガイド                        Ｇ  間隔
２０  排気トップ                      ２１  排気トップ
２１ａ  排気通路                        ２２  ルーバー
２３  排気トップ                      ２４  ルーバー
２５  金網
【図１】
2006078112.tif 000003
【図２】
2006078112.tif 000004
【図３】
2006078112.tif 000005
【図４】
2006078112.tif 000006